(57)【要約】【課題】かご内の虫を退けて、エレベータ利用者に、虫がいることによる不快感を与えることを防止することができる防虫機能付きエレベータ装置およびかご内防虫方法を得る。【解決手段】エレベータのかご１０に設けられ、かご１０内の温度を検出する温度センサ１１と、かご１０に設けられ、かご１０内の人の有無を検出するはかり装置１２と、かご１０内に防虫剤を噴霧する噴霧器１５と、温度センサ１１で検出されたかご１０内の温度が、あらかじめ設定された所定温度よりも高く、かつはかり装置１２でかご１０内に人がいないことが検出された場合に、噴霧器１５から防虫剤を噴霧させる制御部２０と、を備えたものである。【選択図】図２
2015093755.tif 000002
【特許請求の範囲】
【請求項１】
エレベータのかごに設けられ、前記かご内の温度を検出する温度検出部と、
前記かごに設けられ、前記かご内の人の有無を検出する検出部と、
前記かご内に防虫剤を噴霧する噴霧器と、
前記温度検出部で検出された前記かご内の温度が、あらかじめ設定された所定温度よりも高く、かつ前記検出部で前記かご内に人がいないことが検出された場合に、前記噴霧器から前記防虫剤を噴霧させる制御部と、
を備えた防虫機能付きエレベータ装置。
【請求項２】
前記制御部は、あらかじめ設定された所定時間帯において、前記かご内の温度が前記所定温度よりも高く、かつ前記かご内に人がいないことが検出された場合に、前記噴霧器から前記防虫剤を噴霧させる
請求項１に記載の防虫機能付きエレベータ装置。
【請求項３】
前記制御部は、あらかじめ設定された所定階床において、前記噴霧器から前記防虫剤を噴霧させる
請求項１または請求項２に記載の防虫機能付きエレベータ装置。
【請求項４】
前記制御部は、前記かご内において、あらかじめ設定された特定動作が行われた場合に、前記噴霧器から前記防虫剤を噴霧させる
請求項１から請求項３までの何れか１項に記載の防虫機能付きエレベータ装置。
【請求項５】
前記噴霧器から前記防虫剤が噴霧されることを、前記かご内に報知する報知部をさらに備えた
請求項４に記載の防虫機能付きエレベータ装置。
【請求項６】
前記噴霧器が前記防虫剤を噴霧した後に、送風によって前記かご内を換気する送風機をさらに備えた
請求項１から請求項５までの何れか１項に記載の防虫機能付きエレベータ装置。
【請求項７】
前記噴霧器は、芳香剤を噴霧する芳香部を含み、
前記制御部は、前記噴霧器から前記防虫剤を噴霧させない場合には、前記芳香剤を噴霧させる
請求項１から請求項６までの何れか１項に記載の防虫機能付きエレベータ装置。
【請求項８】
エレベータのかご内の温度を検出する温度検出ステップと、
前記かご内の人の有無を検出する検出ステップと、
前記温度検出ステップで検出された前記かご内の温度が、あらかじめ設定された所定温度よりも高く、かつ前記検出ステップで前記かご内に人がいないことが検出された場合に、前記かご内に防虫剤を噴霧させる噴霧ステップと、
を有するかご内防虫方法。
【発明の詳細な説明】
【技術分野】
【０００１】
この発明は、かご内の虫を退ける防虫機能付きエレベータ装置およびかご内防虫方法に関する。
【背景技術】
【０００２】
従来、エレベータかご内部に配置され、かご内部の所定臭い成分が所定値以上になったことを検出する臭い検出センサと、かご内の所定臭い成分を消臭する消臭剤を放出するとともに、消臭後、かご内に芳香剤を放出する芳香手段を含む消臭手段と、臭い検出センサの臭い検出信号が入力され、かつエレベータ乗場呼出信号が入力された場合に、呼び出された目標階に到着するまでに消臭処理が完了するように、かごが現在位置から目標階までに要する移動時間に基づいて消臭剤の放出量を制御しながら消臭手段を動作させる制御手段と、を含む消臭機能付きエレベータ装置が知られている（例えば、特許文献１参照）。
【先行技術文献】
【特許文献】
【０００３】
【特許文献１】特許第４１０９８２６号明細書
【発明の概要】
【発明が解決しようとする課題】
【０００４】
しかしながら、従来技術には、以下のような課題がある。
従来の消臭機能付きエレベータ装置では、エレベータ利用者に、悪臭による不快感を与えることを防止することができるものの、かご内に蚊等の虫がいた場合に、虫を退けることができない。その結果、エレベータ利用者に、虫がいることによる不快感を与えてしまうという問題がある。
【０００５】
この発明は、上記のような課題を解決するためになされたものであり、かご内の虫を退けて、エレベータ利用者に、虫がいることによる不快感を与えることを防止することができる防虫機能付きエレベータ装置およびかご内防虫方法を得ることを目的とする。
【課題を解決するための手段】
【０００６】
この発明に係る防虫機能付きエレベータ装置は、エレベータのかごに設けられ、かご内の温度を検出する温度検出部と、かごに設けられ、かご内の人の有無を検出する検出部と、かご内に防虫剤を噴霧する噴霧器と、温度検出部で検出されたかご内の温度が、あらかじめ設定された所定温度よりも高く、かつ検出部でかご内に人がいないことが検出された場合に、噴霧器から防虫剤を噴霧させる制御部と、を備えたものである。
【０００７】
この発明に係るかご内防虫方法は、エレベータのかご内の温度を検出する温度検出ステップと、かご内の人の有無を検出する検出ステップと、温度検出ステップで検出されたかご内の温度が、あらかじめ設定された所定温度よりも高く、かつ検出ステップでかご内に人がいないことが検出された場合に、かご内に防虫剤を噴霧させる噴霧ステップと、を有するものである。
【発明の効果】
【０００８】
この発明に係る防虫機能付きエレベータ装置によれば、制御部は、温度検出部で検出されたかご内の温度が、あらかじめ設定された所定温度よりも高く、かつ検出部でかご内に人がいないことが検出された場合に、噴霧器から防虫剤を噴霧させる。
また、この発明に係るかご内防虫方法によれば、温度検出ステップで検出されたかご内の温度が、あらかじめ設定された所定温度よりも高く、かつ検出ステップでかご内に人がいないことが検出された場合に、かご内に防虫剤を噴霧させる噴霧ステップを有している。
そのため、かご内の虫を退けて、エレベータ利用者に、虫がいることによる不快感を与えることを防止することができる防虫機能付きエレベータ装置およびかご内防虫方法を得ることができる。
【図面の簡単な説明】
【０００９】
【図１】この発明の実施の形態１に係る防虫機能付きエレベータ装置を示す構成図である。
【図２】この発明の実施の形態１に係る防虫機能付きエレベータ装置を示すブロック図である。
【図３】この発明の実施の形態１に係る防虫機能付きエレベータ装置における制御部の動作を示すフローチャートである。
【発明を実施するための形態】
【００１０】
以下、この発明に係る防虫機能付きエレベータ装置およびかご内防虫方法の好適な実施の形態につき図面を用いて説明するが、各図において同一、または相当する部分については、同一符号を付して説明する。なお、この発明において、防虫剤とは、例えば液体蚊取り等揮発性の薬剤であり、殺虫剤や虫除けとして用いられるものである。
【００１１】
実施の形態１．
図１は、この発明の実施の形態１に係る防虫機能付きエレベータ装置を示す構成図である。また、図２は、この発明の実施の形態１に係る防虫機能付きエレベータ装置を示すブロック図である。
【００１２】
図１、２において、この防虫機能付きエレベータ装置は、エレベータのかご１０に設けられた温度センサ（温度検出部）１１、はかり装置（検出部）１２、かご操作盤１３、マイク１４、噴霧器１５、送風機１６およびスピーカ（報知部）１７と、屋上等に設置されたエレベータ制御盤に内蔵された制御部２０とを備えている。なお、制御部２０は、かご１０に設けられてもよい。
【００１３】
温度センサ１１は、かご１０の天井の下面や壁面に設けられ、かご１０内の温度を検出して制御部２０に出力する。はかり装置１２は、かご１０の下部に設けられ、測定したかご重量に基づいて、かご１０内の人の有無を検出して制御部２０に出力する。なお、かご内の人の有無を検出する検出部として、はかり装置１２の代わりに、例えばカメラや人感センサを用いてもよいし、これらを組み合わせて用いてもよい。
【００１４】
かご操作盤１３は、かご１０内の壁面に設けられ、エレベータ利用者の操作によって、行先階を指定するかご呼びを登録する。マイク１４およびスピーカ１７は、それぞれかご操作盤１３と一体的に形成されている。なお、マイク１４およびスピーカ１７は、かご１０の天井の下面や壁面に設けられてもよいし、マイク１４およびスピーカ１７が一体的に形成されていてもよい。
【００１５】
噴霧器１５は、制御部２０からの指令により、かご１０内に防虫剤を噴霧する。なお、防虫剤は、無臭性であることが望ましい。ここで、噴霧器１５は、制御部２０からの指令により、かご１０内に芳香剤を噴霧する芳香部１８を含んでいる。送風機１６は、制御部２０からの指令により、送風によってかご１０内を換気する。
【００１６】
制御部２０は、温度センサ１１で検出されたかご１０内の温度が、あらかじめ設定された所定温度よりも高く、かつはかり装置１２でかご１０内に人がいないことが検出された場合に、噴霧器１５からかご１０内に防虫剤を噴霧させる。また、制御部２０は、かご１０内において、あらかじめ設定された特定動作が行われた場合に、噴霧器１５からかご１０内に防虫剤を噴霧させる。
【００１７】
また、制御部２０は、噴霧器１５からかご１０内に防虫剤を噴霧させた後、送風機１６を動作させて、送風によってかご１０内を換気させる。
【００１８】
ここで、図３のフローチャートを参照しながら、制御部２０の動作について詳細に説明する。図３は、この発明の実施の形態１に係る防虫機能付きエレベータ装置における制御部の動作を示すフローチャートである。なお、図３の処理は、所定の周期で繰り返し実行される。
【００１９】
まず、制御部２０は、温度センサ１１で検出されたかご１０内の温度が、あらかじめ設定された所定温度よりも高いか否かを判定する（ステップＳ１）。ここで、あらかじめ設定された所定温度とは、例えば退ける対象の虫（例えば、蚊）が活動すると考えられる温度（例えば、２０度）として、任意に設定することができる温度のことである。
【００２０】
ステップＳ１において、かご１０内の温度が所定温度よりも高い（すなわち、Ｙｅｓ）と判定された場合には、制御部２０は、はかり装置１２でかご１０内に人がいないことが検出されたか否かを判定する（ステップＳ２）。
【００２１】
ステップＳ２において、かご１０内に人がいない（すなわち、Ｙｅｓ）と判定された場合には、制御部２０は、噴霧器１５からかご１０内に防虫剤を噴霧させる（ステップＳ３）。ここで、噴霧器１５からかご１０内に防虫剤を噴霧させる時間は、任意に設定することができる。
【００２２】
一方、ステップＳ１において、かご１０内の温度が所定温度以下である（すなわち、Ｎｏ）と判定された場合、およびステップＳ２において、かご１０内に人がいる（すなわち、Ｎｏ）と判定された場合には、制御部２０は、かご１０内において、あらかじめ設定された特定動作が行われたか否かを判定する（ステップＳ４）。
【００２３】
ここで、あらかじめ設定された特定動作とは、かご１０内に虫がいることを認識したエレベータ利用者の動作であり、かご操作盤１３に対してある決められた操作（例えば、戸開ボタンと戸閉ボタンとを同時に数秒間押す）をしたり、かご１０内で手を叩いたり（例えば、２回連続で手を叩く）、かご１０内のある決められた位置を触ったりする動作である。なお、手を叩く音は、マイク１４で検出される。
【００２４】
ステップＳ４において、かご１０内で特定動作が行われた（すなわち、Ｙｅｓ）と判定された場合には、制御部２０は、噴霧器１５からかご１０内に防虫剤を噴霧させる（ステップＳ５）。ここで、噴霧器１５からかご１０内に防虫剤を噴霧させる時間は、任意に設定することができる。このとき、制御部２０は、スピーカ１７を通じて、噴霧器１５から防虫剤が噴霧されることを、かご１０内に報知してもよい。
【００２５】
続いて、制御部２０は、ステップＳ３またはステップＳ５で噴霧器１５からかご１０内に防虫剤を噴霧させた後、送風機１６を動作させて、送風によってかご１０内を換気させ（ステップＳ６）、図３の処理を終了する。
【００２６】
一方、ステップＳ４において、かご１０内で特定動作が行われていない（すなわち、Ｎｏ）と判定された場合には、制御部２０は、噴霧器１５の芳香部１８からかご１０内に芳香剤を噴霧させて（ステップＳ７）、図３の処理を終了する。
【００２７】
以上のように、実施の形態１によれば、制御部は、温度検出部で検出されたかご内の温度が、あらかじめ設定された所定温度よりも高く、かつ検出部でかご内に人がいないことが検出された場合に、噴霧器から防虫剤を噴霧させる。
そのため、かご内の虫を退けて、エレベータ利用者に、虫がいることによる不快感を与えることを防止することができる防虫機能付きエレベータ装置およびかご内防虫方法を得ることができる。
【００２８】
なお、上述した実施の形態１において、制御部２０は、かご１０内の温度が所定温度よりも高く（条件１）、かつかご１０内に人がいない（条件２）場合に、噴霧器１５からかご１０内に防虫剤を噴霧させると説明した。しかしながら、これに限定されず、制御部２０は、あらかじめ設定された所定時間帯において（条件３）、上記２つの条件（条件１、２）が満たされた場合に、噴霧器１５からかご１０内に防虫剤を噴霧させてもよい。
【００２９】
ここで、あらかじめ設定された所定時間帯とは、例えば事業所等に設置されたエレベータでは、就業時間帯を所定時間帯とし、マンション等に設置されたエレベータでは、朝晩の人の移動が多い時間帯を所定時間帯とする等、任意に設定することができる時間帯のことである。
【００３０】
また、制御部２０は、周囲の明るさを条件として追加し、例えば、周囲があらかじめ設定される明るさよりも暗い（条件４）場合に、防虫剤を噴霧させてもよい。これらの条件（条件３、４）を追加することにより、無駄な防虫剤の噴霧を抑制することができる。
【００３１】
また、上述した実施の形態１において、制御部２０は、はかり装置１２でかご１０内に人がいないことが検出された（条件２）場合を、噴霧器１５からかご１０内に防虫剤を噴霧させるための条件の１つとしているが、これに限定されない。制御部２０は、かご１０の照明が消灯され、自動休止状態にある場合を、条件２に代えて、噴霧器１５からかご１０内に防虫剤を噴霧させるための条件の１つとしてもよい。
【００３２】
また、上述した実施の形態１において、制御部２０は、ステップＳ３またはステップＳ５で噴霧器１５からかご１０内に防虫剤を噴霧させる場合に、あらかじめ設定された所定階床において、噴霧器１５から防虫剤を噴霧させてもよい。
【００３３】
ここで、あらかじめ設定された所定階床とは、例えば飲食店が入っている階床を除く階床等、階床とエレベータ利用者との属性に応じて、任意に設定することができる階床のことである。これにより、建物利用者の快適性を向上させることができる。
【００３４】
また、上述した実施の形態１において、制御部２０は、噴霧器１５からかご１０内に防虫剤を噴霧させている状態で、乗場呼びが登録された場合には、直ちに防虫剤の噴霧を停止させる。また、このとき、制御部２０は、送風機１６を動作させて、送風によってかご１０内を換気させてもよいし、噴霧器１５の芳香部１８からかご１０内に芳香剤を噴霧させてもよい。
【００３５】
また、上述した実施の形態１において、制御部２０は、かご１０内において、あらかじめ設定された特定動作が行われた場合に、噴霧器１５からかご１０内に防虫剤を噴霧させると説明した。しかしながら、これに限定されず、制御部２０は、退ける対象の虫（例えば、蚊）の飛んでいる音（周波数）を検出して、噴霧器１５からかご１０内に防虫剤を噴霧させてもよい。
【００３６】
また、上述した実施の形態１において、制御部２０は、ステップＳ３またはステップＳ５で噴霧器１５からかご１０内に防虫剤を噴霧させた後、送風機１６を動作させて、送風によってかご１０内を換気させると説明した。しかしながら、これに限定されず、制御部２０は、例えば乗場呼びが登録されるまでの間、防虫剤の噴霧を継続してもよい。これにより、かご１０内に虫が入ることを防止することができる。
【符号の説明】
【００３７】
１０  かご、１１  温度センサ（温度検出部）、１２  はかり装置（検出部）、１３  かご操作盤、１４  マイク、１５  噴霧器、１６  送風機、１７  スピーカ（報知部）、１８  芳香部、２０  制御部。
【図１】
2015093755.tif 000003
【図２】
2015093755.tif 000004
【図３】
2015093755.tif 000005